(57)【要約】      （修正有）【課題】ガラス板を貼るための両面粘着テープが石膏製の背板から剥がれないように確実に付着させて組み立てが可能となり、石風の重厚感が得られる写真立てセットを提供する。【解決手段】半水石膏に石等の固形粒子と水を混合して型取りした二水石膏の表面に粘着材が付着可能な表面強化層を形成した背板１１と、周囲の不透明な装飾用枠取面１２ａと枠取面内部の透明面１２ｂを備えた背板１１内に全てが納まるサイズのガラス板１２と、ガラス板１２の上下又は左右の枠取面１２ａ内に納まる長さの一対の両面粘着テープ１４とから成る写真パネル部と、ガラス板１２の枠取面１２ａの中に納まる寸法に型取った写真ｐを裁断するためカット用型板２０と、写真パネル部が自立可能に下部を支える嵌合溝３１を備えた写真スタンド部３０と、から成ることを特徴とする。【選択図】図１
0003196938.tif 000002
【実用新案登録請求の範囲】
【請求項１】
ａ）半水石膏に石等の固形粒子と水を混合して型取りした二水石膏の表面に粘着材が付着可能な表面強化層を形成した背板と、周囲の不透明な装飾用枠取面と該枠取面内部の透明面を備えた前記背板内に全てが納まるサイズのガラス板と、該ガラス板の上下又は左右の枠取面内に納まる長さの一対の両面粘着テープとから成る写真パネル部と、
ｂ）前記ガラス板の枠取面の中に納まる寸法に型取った写真を裁断するためカット用型板と、
ｃ）前記写真パネル部が自立可能に下部を支える嵌合溝を備えた写真スタンド部と、
から成ることを特徴とする写真立てセット。
【請求項２】
表面強化層が、ポリビニルブチラールを主成分とした物質が二水石膏に含浸された層であることを特徴とする請求項１に記載の写真立てセット。
【請求項３】
枠取面を、ガラス板の裏面に施された金属メッキで形成したことを特徴とする請求項１又は２に記載の写真立てセット。
【請求項４】
金属メッキの一部を削り取って文字を書き込み、金属メッキの上から文字部分に着色された粘着テープを張設したことを特徴とする請求項４に記載の写真立てセット。
【請求項５】
写真スタンド部が、半水石膏に石等の固形粒子と水を混合して型取りした二水石膏の表面に、粘着材が付着可能な表面強化層を形成した石台状であることを特徴とする請求項１から４のうちのいずれかに記載の写真立てセット。
【請求項６】
写真スタンド部の上面にペン立を設けたことを特徴とする請求項１から５のうちのいずれかに記載の写真立てセット。
【請求項７】
写真スタンド部の上面に立体的な装飾物を固設したことを特徴とする請求項１から６のうちのいずれかに記載の写真立てセット。
【考案の詳細な説明】
【技術分野】
【０００１】
本考案は旅行先で撮った記念写真等の写真を立て置くための写真立てセットに関する。
【背景技術】
【０００２】
本考案者は石風で高級な材質感が得られる写真立てを探していた。
写真を立てて机上などに置く場合、下記特許文献１の如き透明なガラス板に写真を挟んで、スタンド上に載せるように立て掛けるものが多いが、このような写真立ては高級感がなく手軽さから扱いが粗末になってしまうことがある。
一方、下記特許文献２に記載の如き石材製の写真立てが提案されているが、自然石の材料は軽い木やプラスチックとは異なり重厚さや荘厳さが感じられ、丁寧に扱われるが、その反面、硬い石材の加工は容易でなく、手間やコストが嵩んで高価なものとなってしまうという問題がある。
【先行技術文献】
【特許文献】
【０００３】
【特許文献１】登録実用新案第３００９２３５
【特許文献２】登録実用新案第３１２８００６
【考案の概要】
【考案が解決しようとする課題】
【０００４】
本考案者は、上記の如く高価となる自然石をそのまま使用せずに、石風で高級な材質感が得られ、型によって量産できる石等の粒子を混合した石膏に着眼した。
そして、写真立ての試作を行ったが、写真を押さえるガラス板が石膏製の背板に付着しないという問題があった。その原因は石膏表面に発生する微細な粉がガラス板を固定する両面粘着テープの粘着面に付着して石膏から剥がれ落ちてしまうからであった。
そこで本考案は、写真を押さえるガラス板を貼るための両面粘着テープが背板の表面から剥がれないように確実に付着させることで写真を収める写真パネルの組立てが可能となり、該写真パネルを自立させるスタンドと組み合わせて、石等の固形粒子を含んだ石膏特有の重厚感と高級感が得られる写真立てセットを提供することを目的とする。
【課題を解決するための手段】
【０００５】
上記課題を解決するため、本考案の写真立てセットは、ａ）半水石膏に石等の固形粒子と水を混合して型取りした二水石膏の表面に粘着材が付着可能な表面強化層を形成した背板と、周囲の不透明な装飾用枠取面と該枠取面内部の透明面を備えた前記背板内に全てが納まるサイズのガラス板と、該ガラス板の上下又は左右の枠取面内に納まる長さの一対の両面粘着テープとから成る写真パネル部と、ｂ）前記ガラス板の枠取面の中に納まる寸法に型取った写真を裁断するためカット用型板と、ｃ）前記写真パネル部が自立可能に下部を支える嵌合溝を備えた写真スタンド部と、から成ることを特徴とする。
【０００６】
請求項２に記載の考案は、上記考案において、前記表面強化層が、ポリビニルブチラールを主成分とした物質が二水石膏に含浸された層であることを特徴とする。
【０００７】
請求項３に記載の考案は、上記考案において、前記枠取面を、ガラス板の裏面に施された金属メッキで形成したことを特徴とする。
【０００８】
請求項４に記載の考案は、上記考案において、前記金属メッキの一部を削り取って文字を書き込み、金属メッキの上から文字部分に着色された粘着テープを張設したことを特徴とする。
【０００９】
請求項５に記載の考案は、上記考案において、前記写真スタンド部が、半水石膏に石等の固形粒子と水を混合して型取りした二水石膏の表面に、粘着材が付着可能な表面強化層を形成した石台状であることを特徴とする。
【００１０】
請求項６に記載の考案は、上記考案において、前記写真スタンド部の上面にペン立を設けたことを特徴とする。
【００１１】
請求項７に記載の考案は、上記考案において、前記写真スタンド部の上面に立体的な装飾物を固設したことを特徴とする。
【考案の効果】
【００１２】
本考案は、写真周囲の石等の素材による固形粒子を混合した石膏製の背板が石膏及び固形粒子特有の質感の地肌となって重厚さや高級感を醸し出し、写真スタンド部に自立させた写真パネル部の写真を荘厳に装飾する。
該写真パネル部の石等の固形粒子を含む二水石膏の背板の表面に発生する石膏粉を表面強化層で固めることで、両面粘着テープの粘着力が有効に働き、石膏表面に発生した粉を抑えて石膏の背板に対してガラス板を確実に付着させることが可能となる。
そして、写真パネルの組み立ての際に、カット用型板を用いることで個人が所望する様々なサイズの写真を写真パネル部に合うサイズに正確に裁断して自分で組み立てることが可能となる。
その際、裁断した写真は周囲の裁断部分がガラス板の装飾用枠取面で隠蔽され、背板とガラス板とを付着させる両面粘着テープも該枠取面で隠蔽される。この結果、写真パネル部の写真周囲は綺麗に体裁が整えられ、内部の写真を美しく引き立たせることが可能となる。
そして、写真パネル部の背板に固形粒子に観光地など各地に産出する固形粒子を使用すれば、背板の表面にその粒子独特の地肌が現れ、その固形粒子を産出した観光地に行ったときの写真の思い出と共にその土地の雰囲気をリアルに醸し出させることが可能となる。
【００１３】
請求項２に記載の考案は、ポリビニルブチラールを主成分とした物質が二水石膏に含浸されて表面の粉が固まって硬い表面強化層となり、ガラス板を貼る両面粘着テープの付着力が発揮され、ガラス板を背板に強く付着させることが可能となる。
【００１４】
請求項３に記載の考案は、前記装飾用枠取面を、ガラス板の裏面に施された金属メッキが、ガラス表面から見ると鏡面となって光の反射による煌びやかな装飾用枠取面を形成し、写真の周囲を幻想的に装飾することができる。
【００１５】
請求項４に記載の考案は、前記金属メッキの削取文字部分からその裏側のカラフルに着色された粘着テープが金属メッキの削り面の窪み内に入り込んで膨らんだ文字となり、何年経っても文字の輪郭がぼけることなく明瞭に前記金属メッキ内に立体的に浮かび上がって見えるようになる。
この文字は写真と関連したものであれば、写真の場面が何時までも忘れない思い出として記憶を蘇える切っ掛けとなる。
例えば、石膏に混合する石等の固形粒子を観光地産の固形粒子を使用すれば、枠取面に産地・地名等思い出の文字を書き込むことによってその文字と石材が産出される土地とが関連して連想されて、より一層記憶を蘇えらせる。
【００１６】
請求項５に記載の考案は、写真パネル部を立てる写真スタンド部が、写真パネル部と同様に固形粒子を含んだ石膏で形成した場合、その固形粒子が持っている独特の地肌感が得られる。
そして、表面強化層が石膏粉を表面に固定して机の上面などが石膏粉で汚れるのを防止可能となる。
【００１７】
請求項６に記載の考案は、前記写真スタンドのペン立によって机の上に直接筆記具を放置せずに立てて置ける。
【００１８】
請求項７に記載の考案は、前記写真スタンドの立体的な装飾物を写真と関連した記念品等を使用すれば写真の情景と連想されて、そのときの思い出が見るたびに蘇える。
【図面の簡単な説明】
【００１９】
【図１】本考案の写真パネル部を組み立てる前の部品を示し、（イ）が写真の縁を切り揃える前の状態を示し、（ロ）が切った写真を背板とガラス板との間に挟む前の状態を示し、（ハ）が写真パネル部を立てる前の写真スタンド部を示す各分解斜視図である。
【図２】（イ）が写真パネル部を立てる前の状態を示し、（ロ）が写真パネル部を写真スタンド部に立てた状態を示す各斜視図である。
【図３】写真パネル部の縦断側面図である。
【図４】（イ）は下の図（ロ）の丸で囲った部分を拡大した要部を示し（ロ）は写真パネル部の一部を拡大した状態を示す各縦断側面図である。
【考案を実施するための形態】
【００２０】
本考案の実施形態を図面を参照して以下説明する。
本考案の写真立てセットは、組み立て前の図１に示すように、写真パネル部１０とカット用型板２０と写真スタンド部３０とから成る組み立てセットである。
該セット中のカット用型板２０は、図３に示すように、枠取面１２ａを食み出す大きさの写真を、前記ガラス板１２の枠取面１２ａの幅の中に納まるように裁断するために写真ｐに重ねて宛がって、写真周囲を前記写真パネル部１０内に体裁よく納まるように裁断するための型板である。
図２の（イ）は組み立て後の矩形の写真パネル部１０を写真スタンド３０に立てる前の状態を示し、図２の（ロ）は写真パネル部１０を写真スタンド部３０に立てた後の状態を示す。
【００２１】
本考案の写真立てセットを構成する上記各部について次に詳述する。
該写真パネル部１０は、アクリル製の透明な前記カット用型板２０を用いて写真パネル部１０内に納まる大きさに裁断された写真Ｐを、該写真Ｐより大きい矩形の背板１１とガラス板１２との間に挟んで納めたパネルである。
【００２２】
該背板１１は、流し込み型を用いて半水石膏（焼き石膏）の粉に石等の固形粒子と水を混合し、四角の板状の型の中に流し込み、乾燥後脱型して作成する。
配合は、例えば、粉の焼石膏を６０重量部、固体粒子１６を４０重量部の配合とする。この配合量は好みに応じて石膏１００重量部に対して１０重量部〜１００重量部程度までの範囲で適宜選択できる。
これらを混合して水で練り、石膏が硬化した後、乾燥させると、図４の（ロ）に示すように、基材である二水石膏１５に混合した固形粒子１６の粒が表面に二水石膏に覆われた凹凸となって現れる。
更に、石膏の表面を拭き取ることで凹凸部分から固体粒子１６が露出し、固体粒子１６の色が濃くなった地肌の背板１１が得られる。
前記固体粒子１６が多すぎると崩壊し易くなり、少な過ぎると固形粒子の色や地肌の特徴が充分には発現されなくなるおそれがある。
なお、前記固形粒子１６は、栃木県産の大谷石や鹿沼土、宮城県産の貝殻、沖縄県産の海砂等の観光地のある物の使用が可能である。
【００２３】
前記背板１１には、硬化後、乾燥させた二水石膏１５の表面には白い粉が発生するが、この白い粉は、触ると指に付着し、石膏１５の表面には粘着テープが張り付かない。このため合成樹脂系の浸透性塗布材を表面に塗って粉を表面に固着させる。
該浸透性塗布材は基材である二水石膏１５への浸透性を有し且つ粘着テープの付着性を発現できるものを使用する。
前記浸透性塗布材としては合成樹脂系の接着剤等各種の液材が使用可能であり、例えば、特許４５０４１２０号のポリビニルブチラールを主成分とした液材が使用可能である。
この液材を二水石膏１５の表面に塗布すると、図４の（イ）及び（ロ）に示すように、表面から基材内へ浸透して表層の二水石膏１５内に表面強化層１７が形成され、粉が石膏表面に固着されると共に石膏表面には粘着材が付着可能となる。
【００２４】
次に前記ガラス板１２について詳述する。
該ガラス板１２は、図１の（ロ）に示すように、前記背板１１より小さく、該背板１１内に全てが納まるサイズとする。
そして該ガラス板１２の周囲には不透明な装飾用枠取面１２ａを形成し、該枠取面１２ａで囲われた内部には透明面１２ｂを形成する。
例えば、図４の（ロ）に示すように、該ガラス板１２は裏面１２ｃには、四方の辺縁に鏡のように反射する金属光沢のメッキを施して不透明な装飾用の枠取面１２ａを形成し、その内部には透明面１２ｂを形成する。
この透明面１２ｂは一旦前記ガラス板１２の裏面１２ｃの全面に金属メッキ１３を施した後、周囲の枠取面１２ａを残してその内部のみ削り取ることで形成することができる。
該枠取面１２ａは一定の幅のストレートな帯状としたり、内部側の境を波模様とするなど各種装飾模様を施すここができる。
前記ガラス板１２の裏面１２ｃの装飾用の不透明な枠取面１２ａに施されるメッキ材としては、ニッケル、アルミニューム、亜鉛、スズ、金、銀、銅等の金属の使用が可能である。
該金属メッキが施されることによってガラスの表面側は光が全反射する鏡面となる。
【００２５】
前記枠取面１２ａの金属メッキ１３部分には、図１の（ロ）に示すように、金属メッキを一部削り取って、表面から透明なガラスを通して見えるように文字や模様を描くことができる。
例えば、図４の（ロ）に示すように、金属メッキ１３の表面に文字削取面１８を設けて、金属メッキ１３の上にその文字削取面１８が隠れるように粘着着色ビニールテープ１９を張設することができる。
この場合、前記金属メッキ１３の文字削取面１８の部分からその裏側のカラフルに着色された粘着着色ビニールテープ１９の文字露出面１９ａの色が透明なガラス板１２の表側から透視される。
そして、該文字露出面１９ａは、図４に示すように、金属メッキ１３の文字削取面１８の窪み内に入り込んで膨らんだ立体的な文字となり、何年経っても文字の輪郭がぼけることなく明瞭に見えるようになる。
【００２６】
次に該両面粘着テープ１４について説明する。
両面粘着テープ１４は、図３に示すように、ガラス板１２を背板１１に貼り合わせるために、該ガラス板１２の少なくとも上下又は左右の枠取面１２ａ内に納まる長さのものを対で使用する。
該両面粘着テープ１４の材質は、薄い紙又は合成樹脂シートの表裏に粘着材を塗りつけたテープであるが、その粘着面が写真パネル部１０に使用する前に他に付着しないように、両面に剥離紙を貼ったもの使用する。
使用箇所は、枠取面１２ａ内の上下又は左右に貼るために少なくとも２枚が必要であるが、４枚の両面粘着テープ１４を枠取面１２ａの上下及び左右に使用しても良い。
【００２７】
次に上記の如く型で作った四角の背板１１を用いて写真パネル部１０を組み立て方を説明する。
先ず、前記ガラス板１２の金属メッキの枠取面１２ａの中に納まる寸法に型取ったアクリル製の透明なカット用型板２０を用いて、図１の（イ）に示すように、該カット用型板２０を元の大きい写真ｐの上に重ね合わせて、写真の中の風景や人物等の表示したい部分がガラス板１２の枠取面１２ａ内に入るように位置を決めて、型板の縁に沿って上下及び左右のカッターや鋏を入れて写真ｐの外側を切り落とし、写真パネル部１０内に納まる所定サイズの写真Ｐを得る。
【００２８】
次に、枠取面１２ａの幅を考慮して、前記背板１１の表面１１ａの中に前記カット用型板２０の位置を決め、該カット用型板２０より外側の上下部分に、該カット用型板２０の縁部分と接するように剥離紙を剥がして両面粘着テープ１４を貼る。
該両面粘着テープ１４は、使用する写真ｐよりも厚いものを用い、粘着面が付着部分から浮に上がることのないようにする。
そして、該カット用型板２０と写真Ｐとを正確な位置合わせして置き換えて、その上からガラス板１２を圧着する。
その際に、前記両面粘着テープ１４及び写真Ｐの裁断辺が枠取面１２ａに隠れて透明面から見えないようにガラス板１２の位置を正確に決め、図２の（イ）に示すように、写真Ｐを中に閉じ込めた写真パネル部１０が完成する。
【００２９】
又、写真パネル部１０は、図４に示すように、前記ガラス板１２の枠取面１２ａの金属メッキ１３部分に、該金属メッキ１３の一部を削って文字削取面１８で表示される文字を、ガラス板１２の表面から見えるように書き込んだ形態が可能である。
この形態では、文字は金属メッキ１３を削って形成されたものなので、図４の（ロ）の丸印内の部分拡大図である（イ）に示したように、文字削取面１８部分の金属メッキ１３上に粘着着色テープ１９を貼ると、該粘着着色テープ１９の文字露出面１２ａが前記文字削取面１８の窪みの中に膨らみを持った立体的な字体となって現れ、光を反する鏡面で装飾された中の文字が何年経っても輪郭がぼけることなく鮮明に見えるようになる。
なお、粘着着色テープ１９の文字露出面１２ａ以外の部分は、図３に示すように、金属メッキ１３で隠されてガラス板１２の表側からは見えなくなり、又粘着面が金属メッキ１３面に付着し、該粘着着色テープ１９の非粘着面が両面粘着テープ１４に付着することでガラス板１２が背板１１に固定される。
【００３０】
この文字を書き込んだ形態では、産地・地名等思い出の文字を書き込むことによって、石材が産出される土地と連想された記憶を蘇らせる切っ掛けとなる効果が得られる。
なお、花等の自然の模様や幾何学模様等各種の模様を文字と同様に該金属メッキ１３の一部を削って書き込むことも可能である。
このようにガラス板１２の金属メッキ１３を施した枠取面１２ａには削り取り加工によって多様な装飾が可能となる。
これで写真Ｐを中に閉じ込めた写真パネル部１０が完成する。
【００３１】
最後に、上記の如く組み立てた写真パネル部１０を写真スタンド部３０に立てる。
前記写真スタンド部３０は前記写真パネル部１０を立てて机の上に置いたとき見易い状態で保持可能とするものである。
例えば、該写真スタンド部３０は、図１の（ハ）に示すように、上面３０ａに僅か斜めの嵌合溝３１を形成すれば、図２の（ロ）に示すように、該嵌合溝３１に写真パネル部１０の下部１０ａを僅かに後ろ傾斜させて嵌め込むことができるので立てた写真パネル部１０が正面側で斜め上の目線から見易くなる。
該写真スタンド部３０は木製やプラスチック製とすることもできるが、前記背板１１と同様に固形粒子を混合した石膏を型で形成すれば、前記写真パネル部１０と写真スタンド部３０との調和が図られるので好ましい。
この場合、前記背板１１と同様に表面には白い粉が発生するので浸透性塗布材を表面に塗って表面強化層を形成して粉を表面に固着すれば、机の上面などを石膏の粉で汚すおそれが解消される。
【００３２】
又、前記写真スタンド部３０の上面３０ａにはペン立て３２を設けることができる。該ペン立て３２は、図２に示すように、穴を掘る態様と、図示しないが、筒体を立ち上げる態様とが可能である。
なお、さらに写真スタンド部３０の上面３０ａにはクリップ皿や消しゴム皿等を形成することも可能である。
【００３３】
又、前記写真スタンド部３０の上面３０ａに、図２に示すように、立体的に造形された装飾物３３を固設することができる。
使用する装飾物３３は写真スタンド部３０に載る程度の大きさの立体的な造形物であり、石膏、プラスチック、石材、木材、金属等の素材を用いて製作されたものが使用できる。できれば写真Ｐの思い出と関連した造形物を用いることが好ましい。
【００３４】
例えば、図２に示す写真は筑波山を背景としたカップルの写真であり、筑波山は蝦蟇が有名なので、石膏製の蝦蟇の模型を写真スタンド部３０の上に固定したものである。この装飾物３３からも写真の思い出が連想されることとなる。又この場合、背板の石膏に混合する固形粒子１６は筑波山で得て０．５〜１ｍｍ程度の粒子に細かく粉砕した凝灰岩を使用することができ、この凝灰岩の粒子から得られる背板１１の独特の地肌を見て、筑波山での思い出の記憶がより一層増幅される。
【産業上の利用可能性】
【００３５】
本考案は、石材風の石膏を背板の素材とした写真立てセットであるが、写真スタンド部を用いずに写真パネル部のみを壁に掛けるなどして使用することも可能である。
【符号の説明】
【００３６】
１０  写真パネル
１０ａ  写真パネルの下部
１１  背板
１１ａ  背板の表面
１２  ガラス板
１２ａ  枠取面
１２ｂ  透明面
１３  金属メッキ
１４  両面粘着テープ
１５  二水石膏
１６  固形粒子
１７  表面強化層
１８  文字削取面
１９  着色ビニールテープ
１９ａ  着色ビニールテープの文字露出面
２０  カット用型板
２０ａ  辺縁
３０  写真スタンド部
３ａ  写真スタンド部の上面
３１  嵌合溝
３２  ペン立て
３３  装飾物
ｐ  裁断前の写真
Ｐ  裁断した写真
【図１】
0003196938.tif 000003
【図２】
0003196938.tif 000004
【図３】
0003196938.tif 000005
【図４】
0003196938.tif 000006